(57)【要約】【課題】機械的に脆弱な感光層ｃを損傷することなく、マスターシートＸの余長引出端部ｘ１を確実に切除できる構造を得るにある。【解決手段】給紙部に取り付けたロール状マスターシートＸの引出端部ｘ１を固定刃６に沿って移動できる回転移動刃７により必要な長さにカットする製版機において、マスターシートＸの表面感光層ｃ側に前記固定刃６を位置し、マスターシートＸの裏面側であるフイルムベース側に位置した前記回転移動刃７の移動によりマスターシートＸをカットする。【選択図】図１
2005283948.tif 000002
【特許請求の範囲】
【請求項１】
給紙部に取り付けたロール状マスターシートの引出端部を固定刃６に沿って移動できる回転移動刃７により必要な長さにカットする製版機において、マスターシートの表面感光層側に前記固定刃６を位置し、マスターシートの裏面側であるフイルムベース側に位置した前記回転移動刃７の移動によりマスターシートをカットすることを特徴とする製版機。
【請求項２】
前記回転移動刃７はロール状マスターシートを装填される給紙部ドア１の閉鎖を感知するスイッチにより往復動されることを特徴とする請求項１記載の製版機。
【発明の詳細な説明】
【技術分野】
【０００１】
本発明は印刷用原版マスターを製作する製版機に関し、特に、ロール状マスターシートの給紙部の改良に関する。
【背景技術】
【０００２】
周知のように、多くの製版機においては、種々のサイズのマスターを得るため、ロール状マスターシートを用いるが、このようなロール状マスターシートを製版機の給紙部に装填する場合、ロール状マスターシートからの引出端部をカッターで切除する必要がある。
【０００３】
従来の給紙部においては、マスターシートの引出端部をカットするため、固定刃とこの固定刃に沿って移動できる回転移動刃とを備えたカッターが用いられ、引出端部を充分に引き出した後、手動で回転移動刃を往復動させてマスターシートの余長部分を切除している。
【特許文献１】特許３３９５５６８号公報
【発明の開示】
【発明が解決しようとする課題】
【０００４】
ところで、ロール状マスターシートは樹脂ウエブやペーパ・ベースの表面に感光層を積層した構造であるが、この感光層は機械的に非常に崩れやすい性質をもっているので、表面側に位置された回転移動刃を手で移動させると、切断部から剥離しやすい感光層の一部が脱落し、脱落片が後続のマスターシートの表面に付着して画像品質が著しく低下してしまう。
本発明の目的は、以上に述べたような従来のロール状マスターシートの問題に鑑み、機械的に脆弱な感光層を損傷することなく、マスターシートの余長引出端部を確実に切除できる構造を得るにある。
【課題を解決するための手段】
【０００５】
この目的を達成するため、本発明は、給紙部に取り付けたロール状マスターシートの引出端部を固定刃に沿って移動できる回転移動刃により必要な長さにカットする製版機において、マスターシートの表面感光層側に前記固定刃を位置し、マスターシートの裏面側であるフイルムベース側に位置した前記回転移動刃の移動によりマスターシートをカットすることを提案する。
後述する本発明の好ましい実施例の説明においては、前記回転移動刃はロール状マスターシートを装填される給紙部ドアの閉鎖を感知するスイッチにより往復動される構成が説明される。
【発明の効果】
【０００６】
本発明によれば、マスターシートの表面感光層側に前記固定刃を位置し、マスターシートの裏面側であるフイルムベース側に位置した前記回転移動刃の移動によりマスターシートをカットするので、機械的に脆弱な感光層に直接に固定刃が当てがわれた状態で裏面側から回転移動刃の切断圧を受けることになるので、感光層が曲げられてクラック状態になり、破砕するのを防止できる。
また、回転移動刃を給紙部ドアのスイッチの信号で往復動させる場合にあっては、給紙部ドアの閉鎖だけで自動カットを行うことができる。
【発明を実施するための最良の形態】
【０００７】
以下、図面について本発明の実施例の詳細を説明する。
図１は本発明による製版機の給紙部を示し、同給紙部には給紙部ドア１を仮想線で示す位置に解放することによりロール状マスターシートＸを装填できる。
また、給紙部ドア１には同給紙部ドア１の閉鎖状態を感知するドアスイッチ２が付設され、ロール状マスターシートＸの装填後の給紙部ドア１の閉鎖時に、後述する回転刃カッター３の回転移動刃７が往復動され、マスターシートＸの余長引出端部ｘ１が切除される。
【０００８】
前記ロール状マスターシートＸの引出端部ｘ１を導く給紙パスには、同引出端部ｘ１を繰り出す一対の繰出ローラ４及び図示を省略する帯電器に向かってマスターシートＸを供給する一対の供給ローラ４Ａが配置されるが、これらの繰出ローラ４と供給ローラ４Ａとの間には、図２に拡大して示す回転刃カッター３が設けられ、この回転刃カッター３により給紙パス（図示せず）に引き出されたマスターシートＸが必要な長さに切断される。
【０００９】
即ち、回転刃カッター３の取付板５には給紙パスに隣り合って固定刃６が設けられ、同固定刃６にはマスターシートＸの表面側即ち、感光層ｃ側表面が対面された状態におかれる。
また、前記取付板５には逆転可能な駆動モータ８が設けられ、この駆動モータ８は前記ドアスイッチ２が感応したときマイクロコンピュータなどの制御装置により回転移動刃７を１往復動させて、引出端部ｘ１の余長部分を切除できる。
【００１０】
前記駆動モータ８は駆動ベルト９により図２の紙面と直角な方向、つまり給紙パスの幅方向に回転移動刃７を往復動させ、その往動時に同回転移動刃７と固定刃６との間でマスターシートＸをカットできるが、この回転移動刃７はマスターシートＸの裏面側から樹脂ベースｂに当てがわれることになる。
【００１１】
図示実施例による製版機の給紙部は、以上のような構造であるから、マスターシートＸの余長部分はマスターシートＸの樹脂ベースｂ側から当てがわれて固定刃６との間でカットされる。
この場合、機械的に脆弱な感光層ｃは、剛性のある固定刃６に接触された状態でカットされるから、無理に折り曲げられて破砕片が生じてマスターシートＸの表面に付着し、画像品質の低下を招くのを防止できる。
【００１２】
また、図示実施例のように、ドアスイッチ２を給紙部ドア１に付設する構造にあっては、新たなロール状マスターシートＸの装填や交換時に、引出端部ｘ１を繰出ローラ４の位置まで手で引き出し、給紙部ドア１を閉じるだけで、ドアスイッチ２が感応して回転移動刃７が往復動されるため、自動的に引出端部ｘ１の余長部分が切除される利点がある。
【産業上の利用可能性】
【００１３】
なお、前記実施例の説明においては、樹脂ベースｂのマスターシートＸを例示したけれども、本発明はペーパベースのマスターシートＸであってもよいのは明らかなところである。
【図面の簡単な説明】
【００１４】
【図１】本発明による製版機の給紙部の断面図である。
【図２】同給紙部要部の拡大図である。
【図３】用いるマスターペーパの拡大断面図である。
【符号の説明】
【００１５】
Ｘ    マスターシート
ｘ１  引出端部
ｂ    樹脂ベース
ｃ    感光層
１    給紙部ドア
２    ドアスイッチ
３    回転刃カッター
６    固定刃
７    回転移動刃
【図１】
2005283948.tif 000003
【図２】
2005283948.tif 000004
【図３】
2005283948.tif 000005